(57)【要約】【課題】  暑い日中の男性向けの暑さ対策用具。【解決手段】  日除け傘として、親骨の長さ２０ｃｍ前後、傘布地の長さ２０ｃｍ前後で小さな帽子風日傘（１）を作製する。各露先と露先間の傘布地の先に大小の日除け垂れ（４）、（５）を設置し、該日傘の中棒（６）は３段スライド式とする。これにより人通りの多い路上で周囲の通行人に迷惑をかけずに会社員等が気軽に日傘を使用することができる。脱いだ背広等の上着を肩に担いで歩行するために、脱ぎ上着肩掛け携行用具（２）を作製する。脱いだ上着を縦に半折りして、併せた左右の襟部分を下襟併せ止めクリップ（８）で挟み止めする。次に該クリップ（８）と結っているベルト紐（１０）で肩に担いだ上着を押えつつ、身体前面左斜めに引き落してズボンの左腰ベルト通しで止めて上着を身体に安定させる。これにより脱いだ上着は右肩部に安定し、内ポケットから格納物が紛失する心配なく両手を自由に使えて快適に歩行できる。【選択図】図３
2020163094.tif 000002
【特許請求の範囲】
【請求項１】
親骨（３）の長さ２０ｃｍ前後、各親骨間の傘布地の長さも２０ｃｍ前後として短かく作成された小さな日傘に、露先と露先間の各傘布地先端に接続して、大小の日除け垂れ（４）、（５）を設置する。その中棒（６）は３段スライド式として、格納時は折り畳み傘と同程度の小型サイズで鞄等に収納して携帯可能な物とする。以上の様な、小さな帽子風日傘（１）を構成する方法とその形態。
【請求項２】
親骨（３）の長さ２０ｃｍ前後、各親骨間の傘布地の長さも２０ｃｍ前後として短かく設定された小さな日傘を製造する。そして露先と露先間の各傘布地先端にスナップボタンで追加付着させる大きな日除け垂れ（５）を別途作成する。この大きな日除け垂れ（５）は、露先間の各傘布地の少なくとも２片を残して、残りの傘布地の数片間を連続して設置できる横長の１枚とする。しかも肩に垂れ下がり、後頭部の首筋を覆って日差しを遮ることができる程度の縦の長さを確保して作成する。その中棒（６）は３段スライド式として、格納時は折り畳み傘と同程度の小型サイズで鞄等に収納して携帯可能な物とする。以上の様な、小さな帽子風日傘（１）を構成する方法とその形態。
【請求項３】
親骨（３）の長さ２０ｃｍ前後、各親骨間の傘布地の長さも２０ｃｍ前後として短かく作成された小さな日傘に、露先と露先間の各傘布地先端に接続して、大小の日除け垂れ（４）、（５）を設置する。その中棒（６）はスライド式ではなく、１本の通し中棒で長さを２５ｃｍ程度とし、内５ｃｍを含んで手元グリップ（７）を長さ７ｃｍ程度で作成する。以上の様な、小さな帽子風日傘（１）を構成する方法とその形態。
【請求項４】
親骨（３）の長さ２０ｃｍ前後、各親骨間の傘布地の長さも２０ｃｍ前後として短かく設定された小さな日傘を製造する。そして露先と露先間の各傘布地先端にスナップボタンで追加付着させる大きな日除け垂れ（５）を別途作成する。この大きな日除け垂れ（５）は、露先間の各傘布地の少なくとも２片を残して、残りの傘布地の数片間を連続して設置できる横長の１枚とする。しかも肩に垂れ下がり、後頭部の首筋を覆って日差しを遮ることができる程度の縦の長さを確保して作成する。その中棒（６）はスライド式ではなく、１本の通し中棒で長さを２５ｃｍ程度とし、内５ｃｍを含んで手元グリップ（７）を長さ７ｃｍ程度で作成する。以上の様な、小さな帽子風日傘（１）を構成する方法とその形態。
【請求項５】
背広等の脱いだ上着を片方の肩に担いで歩く時に、手で保持しなくても上着が身体の肩上で安定してずれ落ちないようにする用具。上着の背縫線で内折りして前面側の左右の下襟を合わせて、下襟のやや上部部分を下襟併せ止めクリップ（８）で挟んで固定した上で、次に該クリップ（８）と結っているベルト紐（１０）と肩上押えパット（９）で、右肩に担いだ上着を押えつつ身体前面左斜めにベルト紐（１０）を引き落して、ズボン左腰のベルト通しをくぐらせて全体を調整して状態を固定させる。以上の様な、脱ぎ上着肩掛け携行用具（２）を構成する方法とその形態。
【発明の詳細な説明】
【技術分野】
【０００１】  成年男性向けの日中の屋外での暑さ対策に関するものである。
【背景技術】
【０００２】  暑さの厳しい日中に人通りの多い街路上で使用しても回りの歩行者の歩行を妨げたり、傘の先端が歩行者の頭部等に接触しない小さな日傘が求められいる。一方では、日照りの炎天下では、脱いだ背広の上着を片手で肩に引っ掛けて歩いたり、半分に折って片手の腕に掛けて歩く会社員を見かけることが多い。これは片手が不自由である上に、内ポケットに格納した物を紛失する心配もあり、対策が必要である。
【発明の概要】
【発明が解決しようとする課題】
【０００４】  （イ）従来の日傘は男性用、女性用に拘らず傘布地の広がりが幅広いため、歩行者の多い場所では周囲の歩行者の頭部に傘の一部が接触したり、他者のスムースな歩行を妨げたりして、周囲に対して不快感を与えているのが現実である。
（ロ）特に暑い日中の人通りの多い街路上では他の歩行者とのスムースな通行を考えて、会社員等は大きな日傘を使用することを我慢して控える傾向にある。
（ハ）夏の日中のビジネス街等では、会社員等は脱いだ背広の上着を片手で肩に担いで歩行していることが多い。しかし上着の内ポケットに格納した物を歩行中に落したり、盗難で失う懸念があり、注意深く歩く必要がある。
【課題を解決するための手段】
【０００５】  成年男性向けの日中の屋外での暑さ対策として、小さな帽子風日傘（１）、並びに歩行時に使う脱ぎ上着肩掛け携行用具（２）を作製する。小さな帽子風日傘（１）は、市場に流通している既存の３つ折りタイプの折り畳み傘の親骨の第一関節から下部分の傘布地を大きく切り取った小さな傘のイメージである。この構成は、親骨（３）の本数は６本、長さは２０ｃｍでその親骨（３）の端のすぐ側先に露先を設置する。露先と露先の間の６片には、４片の小さな日除け垂れ（４）と２片の大きな日除け垂れ（５）を追加で設ける。中棒（６）は市場に流通している既存の折り畳み傘と同様の３段スライド構造として小型で携帯できる物とする。つまり傘を構成する親骨（３）の長さが２０ｃｍと短かいこと、それに伴って傘布地の展開範囲が小さくて狭いこと、及び露先と露先の間に６片の日除けの垂れ布を設置する以外は、市場に流通している既存の折り畳み傘と全て同様である。次に歩行時に使用する脱ぎ上着肩掛け携行用具（２）につき記述する。これは下襟併せ止めクリップ（８）と肩上押えパット（９）と、これらを連結した状態でズボンの腰のベルト通しに通して、脱いだ上着を身体の肩部分に固定させるためのベルト紐（１０）の３つで構成される。まず下襟併せ止めクリップ（８）は市場に流通する通常のクリップの挟み面の一部を延長させて、ベルト紐（１０）で引っ張る部分を追加設置する。ベルト紐（１０）の中央部分には、肩線部分で脱ぎ上着を押え込むための肩上押えパット（９）を設置する。脱いだ背広の上着を縦に半折りして、併せた襟部分をこの下襟併せ止めクリップ（８）で挟み止めしたら、身体前面側にベルト紐（１０）を回して、上着を肩上で押えた後に、左斜めに引落して、ズボンと左腰ベルト通しを利用して、ベルト紐（１０）の長さを調整して、上着の身体への定着を安定させる。これにより、脱いだ背広の上着は右肩部分に安定し、内ポケットから格納物が紛失する懸念もなく、両手に負担なく自由に使えるので快適に暑い日中の街路を歩くことができる。
【発明の効果】
【０００６】  （イ）ビジネス街の人通りの多い路上でもこの小さな日傘であれば、会社員等が周囲の通行人に迷惑をかけることなく、気軽に使用することができる。
（ロ）直径４０ｃｍの開き傘の範囲とは言え、帽子より広い日差し除け範囲を確保できる。日除け垂れを設けているので、日差しに弾力的に対応できる。
（ハ）親骨が短かく傘布地部分が狭いので、折り畳み傘として軽くて小さいため携帯が楽である。
（ニ）炎天下の日中に背広の上着を脱いで、片手で肩に担いで歩行することが多いが、この脱ぎ上着肩掛け携行用具を使えば両手を自由に使える。かつ内ポケットに格納した貴重品等の紛失の心配もなく、落着いて快適に歩行できる。
【図面の簡単な説明】
【０００７】
【図１】  小さな帽子風日傘の平面図
【図２】  下方向から見た小さな帽子風日傘の参考斜視図
【図３】  小さな帽子風日傘の正面図
【図４】  下襟併せ止めクリップの平面図
【図５】  下襟併せ止めクリップの側面図
【図６】  肩上押えパットの斜視図
【図７】  脱ぎ上着肩掛け携行用具の全体の参考平面図
【図８】  脱ぎ上着肩掛け携行用具を使用時の身体前面側の参考図
【図９】  脱ぎ上着肩掛け携行用具を使用時の身体背面側の参考図
【発明を実施するための形態】
【０００８】  これは暑い日中にビジネス街を歩行する会社員を中心とした成年男性向けの暑さ対策用具に関するものである。具体的には成年男性向けの小さな帽子風日傘（１）、並びに歩行時に使う脱ぎ上着肩掛け携行用具（２）について記述する。まず成年男性向けの小さな帽子風日傘（１）は、夏の日中に会社員等がビジネス街で歩行する時に使用する日傘を想定しており、親骨等の長さを短かく、傘布地の広がり幅を小さく、狭く設定している。つまり開傘時の傘の大きさは、市場に一般に流通している既存の３つ折りタイプの折り畳み傘の親骨の第一関節から下部分を大きく切り取った小さな傘、をイメージしたものである。市場で従来より一般に流通している傘の中で、中棒３段スライド、３つ折りタイプの折り畳み傘で、親骨は６本、開傘時の直径は９０ｃｍ前後、全長は６０ｃｍ前後の標準タイプを基準にして構成を説明する。この小さな帽子風日傘（１）は、親骨（３）の本数は６本、長さは２０ｃｍで、その親骨（３）の端のすぐ側先に露先を設置する。親骨（３）の間の６片の傘布地は、露先と露先の間を直線的に縁取りをして正六角形の傘を形成するのではなく、その先に６片の日除けの垂れ布を追加で設置する。この日除け垂れ布は、内４片は小さな日除け垂れ（４）で最頂部高さは１０ｃｍ、残り２片は大きな日除け垂れ（５）で最頂部高さは１５ｃｍとする。露先と露先の間のこの６片の日除け垂れ布の形は、半円形、長方形、放物線形状等のいずれでも良く特に限定の形はない。中棒（６）は、一般に流通している既存の折り畳み傘と同様の３段スライド構造とし開傘時の全長の長さは６３ｃｍ程度とする。手元グリップ（７）の長さは５ｃｍ程度とし、手元グリップ（７）はメネジ構造、差し込む方の中棒（６）の先端手元部分はオネジ構造を設けて着脱自在の構造とする。つまり傘を構成する親骨（３）の長さが２０ｃｍと短かいこと、それに伴って傘布地の展開範囲が小さくて狭いこと、及び露先と露先の間に６片の日除けの垂れ布を設置すること以外は、市場に流通している既存の折り畳み傘と全て同様であり、構造や素材は特定する要素はない。次に歩行時に使用する脱ぎ上着肩掛け携行用具（２）について記述する。これは暑い日中のビジネス街で会社員等が背広の上着を脱いで路上を歩く時に、脱いだ上着を肩に掛けて、片手を使わずに肩上に安定させるために使う用具である。この脱ぎ上着肩掛け携行用具（２）は、下襟併せ止めクリップ（８）と肩上押えパット（９）と、これらを連結した状態でズボンのベルト通しを通して固定させるためのベルト紐（１０）の３つから構成される。その構成と使い方につき記述する。まず下襟併せ止めクリップ（８）は、市場に流通している一般のクリップの１箇所に加工を加えて形状を変更させている。具体的には、挟み併せ面の内、一方の併せ面の片端から幅１ｃｍ、長さ２ｃｍの大きさで横方向に平板状で伸ばして、その中心部にベルト紐通し口（１１）を設けている。ベルト紐（１０）の中央部に、前後に２箇の通し穴を開けた肩上押えパット（９）を設置し、位置の前後調整が自在にできる状態とする。該クリップ（８）の逆方向に伸ばしたベルト紐（１０）の末尾部分の２箇所には、マジックテープとマジックテープ受けを設置���て、ズボンのベルト通しを通した後に折り返して長さを調整して、全体を安定させて、このマジックテープで固定する。これにより、脱いで折り畳んだ上着の下襟を併せて止めた該クリップ（８）を起点として、ベルト紐（１０）を右肩後方から身体前面に回して、ズボンの左腰のベルト通しに結ぶことにより、脱いだ上着を身体に固定することができる。具体的やり方は、脱いだ上着の左右を縦長の状態で半分に折り畳む状態とする。これは上着の背面の背縫い線を内側に谷折りして、前面側の左右の下襟を合わせた形で、形態がくずれて乱れないように下襟のやや上部部分を下襟併せ止めクリップ（８）で挟んで固定する。次に右手指で上着の襟首中央を引っ掛けて右肩上に乗せ掛ける。この時上襟と下襟のきざみの切り替え部分が、右肩の肩線の上に乗りかぶさる場所で肩上押えパット（９）で肩を押えて上着の定着を安定させる。要は、あまり身体前面側に上着を引き過ぎない様にすることが重要であり、肩線から前面側に１５ｃｍ前後を折り傾ける状態が最適である。その後、ベルト紐（１０）を左斜めに引落して、ズボンの左腰のベルト通しをくぐらせて元に引き戻して全体を調整してマジックテープで固定する。以上の手順により、脱いだ背広の上着は右肩上に乱れずに安定し、内ポケットから格納物が紛失する懸念もなく、両手を自由に使えるので快適に暑い日中の街路を歩くことができる。更に左手にビジネス鞄を持っている場合でも、この状態であれば右手で日傘を使用して日差しを避けることも可能である。構造と素材について記述する。下襟併せ止めクリップ（８）は、前述の様に一般に市場に流通している既存のクリップに、ベルト紐通し口（１１）を設けている部分を追加して設置していることのみが相違点であるので、構造と素材につき特定する要素はない。バネは金属製のリング巻きスプリング、素材はプラスチックで良い。大きさは挟み口の縦長さ７ｃｍ、横幅１５ｍｍ、挟み口空洞の最大直径１５ｍｍ、挟み口を開けるために指で掴んで押える取っ手部分の長さ４ｃｍ、横幅２ｃｍとする。本案で追加設置するベルト紐通し口（１１）のある出っ張り部分（１７）は、挟み合せ面のどちらかの片面のみに設定し、縦長さ２５ｍｍ、横幅２ｃｍとする。その該クリップ（８）の各部分の素材の厚みは、掴んで押える取っ手部分は３ｍｍ、それ以外の部分は１、５ｍｍ前後で良い。肩上押えパット（９）の素材は布地製、合成ゴム等で良い。大きさは縦長さ５ｃｍ、横幅４ｃｍ、厚みは５ｍｍ程度で良い。前後にベルト紐（１０）のサイズに合わせて、ベルト紐（１０）を通す２箇所の穴を設ける。ベルト紐（１０）は、該クリップ（８）を起点として、肩上押えパット（９）を通して、肩越しにズボンの左腰ベルト通しに引落して結び止めして、脱いだ上着を身体に安定携帯させるものです。素材は布地製、合成ゴム等で良い。大きさは横幅１ｃｍ、厚みは３ｍｍで良い。身長１７０ｃｍ前後の男性で該クリップ（８）からズボンの左腰のベルト通しまでの距離は概ね８０ｃｍ前後である。従って長さは、ズボンの左腰ベルト通しを通した後に折り返して、マジックテープで固定する部分を考慮してベルト紐（１０）の全長は１００ｃｍ前後で良い。以下に小さな帽子風日傘（１）の実施につい���４つの形態を説明する。
【０００９】（第１の実施の形態）
親骨（３）の長さ２０ｃｍ前後、各親骨間の傘布地の長さも２０ｃｍ前後として短かく作成された小さな日傘に、露先と露先間の各傘布地先端に接続して、大小の日除け垂れ（４）、（５）を設置する。その中棒（６）は３段スライド式として、格納時は折り畳み傘と同程度の小型サイズで鞄等に収納して携帯可能な物とする。
【００１０】（第２の実施の形態）
親骨（３）の長さ２０ｃｍ前後、各親骨間の傘布地の長さも２０ｃｍ前後として短かく設定された小さな日傘を製造する。そして露先と露先間の各傘布地先端にスナップボタンで追加付着させる大きな日除け垂れ（５）を別途作成する。この大きな日除け垂れ（５）は、露先間の各傘布地の少なくとも２片を残して、残りの傘布地の数片間を連続して設置できる横長の１枚とする。しかも肩に垂れ下がり、後頭部の首筋を覆って日差しを遮ることができる程度の縦の長さを確保して作成する。中棒（６）は第１の実施の形態と同様。
【００１１】（第３の実施の形態）
親骨（３）の長さ２０ｃｍ前後、各親骨間の傘布地の長さも２０ｃｍ前後として短かく作成された小さな日傘に、露先と露先間の各傘布地先端に接続して、大小の日除け垂れ（４）、（５）を設置する。その中棒（６）はスライド式ではなく、１本の通し中棒で長さを２５ｃｍ程度とし、手元グリップ（７）の長さを７ｃｍ程度として作成する。これにより、使用時に持ち手を少し高く掲げる必要があるが、更に小型になるので携帯が楽になる効果がある。
【００１２】（第４の実施の形態）
親骨（３）の長さ２０ｃｍ前後、各親骨間の傘布地の長さも２０ｃｍ前後として短かく設定された小さな日傘を製造する。そして露先と露先間の各傘布地先端にスナップボタンで追加付着させる大きな日除け垂れ（５）を別途作成する。この大きな日除け垂れ（５）は、露先間の各傘布地の少なくとも２片を残して、残りの傘布地の数片間を連続して設置できる横長の１枚とする。しかも肩に垂れ下がり、後頭部の首筋を覆って日差しを遮ることができる程度の縦の長さを確保して作成する。その中棒（６）は第３の実施の形態と同様とする。
【符号の説明】
【００１３】  １  小さな帽子風日傘
２  脱ぎ上着肩掛け携行用具
３  親骨
４  小さな日除け垂れ
５  大きな日除け垂れ
６  中棒
７  手元グリップ
８  下襟併せ止めクリップ
９  肩上押えパット
１０  ベルト紐
１１  ベルト紐通し口
１２  だば
１３  脱いだ背広上着
１４  シャツ
１５  下襟
１６  後頭部
１７  出っ張り部分
１８  リング巻きスプリングバネ
１９  挟み口
２０  挟み口空洞
２１  取っ手部分
【図１】
2020163094.tif 000003
【図２】
2020163094.tif 000004
【図３】
2020163094.tif 000005
【図４】
2020163094.tif 000006
【図５】
2020163094.tif 000007
【図６】
2020163094.tif 000008
【図７】
2020163094.tif 000009
【図８】
2020163094.tif 000010
【図９】
2020163094.tif 000011